(57)【要約】ＬＥＤ照明光を放出するように構成された照明器具が開示される。照明器具は、異なる放熱特性を提供する異なるフィン形状を含みうるプラスチック・ヒートシンクを含むことができる。【選択図】図１Ｂ
2018508110.tif 000002
【特許請求の範囲】
【請求項１】
ヒートシンクであって、
少なくとも１つのＬＥＤと熱的に連絡して置かれるように構成された内表面と、前記内表面の反対側の外表面とを画定するベース、および
近位端から遠位端へ前記外表面から突き出る複数のプラスチック・フィンであって、前記複数のフィンの少なくとも１つの群は、直線状形状、角のある形状、放射状形状、ピン状形状、ピラミッド状形状、および曲線状形状を含む利用可能な形状の群の少なくとも１つから選択されたフィン形状を画定する、前記複数のプラスチック・フィン、
を備え、
前記直線状形状、前記角のある形状、前記曲線状形状、および前記放射状形状は、前記外表面に沿って前記複数のフィンの前記群の前記遠位端の伸長の方向によって画定される
ヒートシンク。
【請求項２】
前記複数のフィンの前記少なくとも１つの群は、利用可能な形状の前記群から選択された第１のフィン形状を画定する前記複数のフィンの第１の群と、前記第１のフィン形状とは異なり、利用可能な形状の前記群からの選択された第２の形状を画定する前記複数のフィンの少なくとも第２の群とを備える、請求項１に記載のヒートシンク。
【請求項３】
フィンは、約０．５および約５Ｗ／ｍ・Ｋの範囲内の厚み方向熱伝導率を有するプラスチック材料から作られた、請求項１〜２のいずれか一項に記載のヒートシンク。
【請求項４】
前記フィンは、前記外表面とモノリシックである、請求項１〜３のいずれか一項に記載のヒートシンク。
【請求項５】
前記フィンのプラスチック材料は、第１のプラスチック材料を備え、前記ベースは、前記第１のプラスチック材料とは異なる第２のプラスチック材料をさらに備える、請求項１〜４のいずれか一項に記載のヒートシンク。
【請求項６】
前記ベースは、金属を備える、請求項１〜４のいずれか一項に記載のヒートシンク。
【請求項７】
前記フィンの前記遠位端が前記直線状形状、前記角のある形状、前記放射状形状、または前記曲線状形状を画定するときに、前記フィンは、前記近位端から前記遠位端へ延びる対向する側壁を有する中空フィンであり、前記対向する側壁は、それらの間に中空の内部を画定するように互いに向かい合うそれぞれの内表面と、前記内表面の反対側のそれぞれの外表面とを画定する、請求項１〜６のいずれか一項に記載のヒートシンク。
【請求項８】
前記フィンが前記直線状形状、前記角のある形状、前記放射状形状、または曲線状形状を画定するときに、前記フィンは、約１０ｍｍと約５０ｍｍとの間およびこれらの値を含む範囲内の前記外表面から前記遠位端への高さを画定する、請求項１〜７のいずれか一項に記載のヒートシンク。
【請求項９】
前記フィンが前記ピン状形状を有するときに、前記フィンは、ピン状フィンの行と、前記行に対して角度がずれたピン状フィンの列とを含むピン・フィールドに配列された、請求項１〜８のいずれか一項に記載のヒートシンク。
【請求項１０】
前記ベースは、約１．５ｍｍと約３．５ｍｍとの間およびこれらの値を含む範囲内の前記内表面から前記外表面への厚さを有する、請求項１〜９のいずれか一項に記載のヒートシンク。
【請求項１１】
照明器具であって、
レンズを含む筐体構成部分、
前記少なくとも１つの筐体構成部分と前記ヒートシンクとの間に内部空間が配置されるように、前記筐体構成部分によって少なくとも部分的に支持された請求項１に記載のヒートシンク、および
前記内部空間に配置されたＬＥＤパネルであって、照明の少なくとも一部分が前記レンズを通して導かれるような、前記照明を生み出すように構成された少なくとも１つのＬＥＤを含む前記ＬＥＤパネル
を備える、照明器具。
【発明の詳細な説明】
【技術分野】
【０００１】
関連出願の相互参照
本出願は、その開示が参照によりその全体において組み込まれる、２０１５年３月２０日出願のインド特許出願第７６２／ＤＥＬ／２０１５号の優先権を主張する。
【背景技術】
【０００２】
照明器具は、多くの形状、サイズ、および構成で利用可能である。最新の照明器具は、発光ダイオード（ＬＥＤ：ｌｉｇｈｔ  ｅｍｉｔｔｉｎｇ  ｄｉｏｄｅ）が高エネルギー効率かつ長寿命なので、伝統的な白熱電球ではなくＬＥＤを含むことができる。従来のＬＥＤベースの照明器具は、動作中にＬＥＤから熱を直接逃がす金属製ヒートシンクを採用する。しかしながら、金属製ヒートシンクは、典型的に鋳造され、ヒートシンクの構成を制限する。例として、いくつかの照明器具では、鋳造金属製ヒートシンクが限られた幾何学的フィン構成を有する。
【発明の概要】
【０００３】
本開示の別の態様に従って、ヒートシンクは、少なくとも１つのＬＥＤと熱的に連絡して置かれるように構成された内表面と、内表面の反対側の外表面とを画定するベースを含むことができる。ヒートシンクは、近位端から遠位端へ外表面から突き出る複数のプラスチック・フィンをさらに含むことができる。それに応じて、複数のフィンの少なくとも１つの群は、直線状形状、角のある形状、放射状形状、ピン状形状、ピラミッド状形状、および曲線状形状を含む利用可能な形状の群の少なくとも１つから選択されたフィン形状を画定する。
【０００４】
本要約は、以下の詳細な記載でさらに説明される概念を抜粋して平易なかたちで紹介するために提供される。本要約は、請求される主題の主要な特徴または本質的な特徴を特定するものではなく、請求される主題の範囲を限定するために用いられることも意図されない。
【０００５】
前述の要約、ならびに以下の詳細な記載は、添付図面と併せて読まれたときにさらによく理解される。図面に様々な実施形態の実施形態例が示されるが、本発明は、開示される特定の方法および手段には限定されない。
【図面の簡単な説明】
【０００６】
【図１Ａ】一実施形態の照明器具の斜視図である。
【図１Ｂ】図１Ａに図示される照明器具の分解斜視図である。
【図２Ａ】図１Ａに図示されるが、一実施形態による第１および第２の部分を含んだ照明器具のヒートシンクの斜視図である。
【図２Ｂ】第１および第２の部分を図示するための図２Ａに示される照明器具のヒートシンクの概略分解斜視図である。
【図３Ａ】金属材料およびプラスチック材料を含んだ、図１に図示されるような照明器具のヒートシンクの一部分の断面端立面図である。
【図３Ｂ】図３Ａと同様であるが、別の実施形態によって構築されたヒートシンクの部分を示す断面端立面図である。
【図４Ａ】一実施形態による図１Ａに図示されるような照明器具のモジュール式ヒートシンクの斜視図である。
【図４Ｂ】図４Ａに図示されるモジュール式ヒートシンクの斜視図である。
【図５Ａ】一実施形態による図１Ａに図示されるような照明器具のモジュール式併設ヒートシンクの斜視図である。
【図５Ｂ】図５Ａに図示されるヒートシンクの斜視図である。
【図６Ａ】一実施形態による直線状フィン形状を有するフィンを含んだ図１Ａに図示されるような照明器具のヒートシンクの斜視図である。
【図６Ｂ】図６Ａに図示されるヒートシンクの頂面図である。
【図７Ａ】図１Ａに図示されるような、しかし別の実施形態による角のあるフィン形状を有するフィンを含んだ照明器具のヒートシンクの斜視図である。
【図７Ｂ】図１Ａに図示されるヒートシンクの頂面図である。
【図８Ａ】図１Ａに図示されるような、しかし別の実施形態による放射状フィン形状を有するフィンを含んだ照明器具のヒートシンクの斜視図である。
【図８Ｂ】図８Ａに図示されるヒートシンクの頂面図である。
【図９Ａ】図１Ａに図示されるような、しかし別の実施形態による曲線状フィン形状を有するフィンを含んだ照明器具のヒートシンクの斜視図である。
【図９Ｂ】図９Ａに図示されるヒートシンクの頂面図である。
【図１０Ａ】一実施形態による図１Ａに図示されるような照明器具のヒートシンクのフィンの断面側立面図である。
【図１０Ｂ】別の実施形態による、図１Ａに図示される照明器具のヒートシンクのフィンの断面側立面図である。
【図１１】図１に図示されるが、別の実施形態によるピン状フィン形状を有するフィンを含んだ照明器具のヒートシンクの斜視図である。
【図１２】図１Ａに図示されるような、しかし別の実施形態によるピラミッド状フィン形状を有するフィンを含んだ照明器具のヒートシンクの斜視図である。
【発明を実施するための形態】
【０００７】
図１Ａ〜１Ｂを次に参照すると、一実施形態に従って構築された照明器具２００は、筐体構成部分２０２およびヒートシンク２０４を含む。ヒートシンク２０４は、筐体構成部分２０２とヒートシンク２０４との間に配置された内部空間２０６を照明器具２００が画定するように、筐体構成部分２０２によって少なくとも部分的に支持される。例として、内部空間２０６を筐体構成部分２０２およびヒートシンク２０４によって画定できる。代わりに、ヒートシンク２０４を中間構造によって支持できて、次には、中間構造が筐体構成部分２０２に取り付けられる。筐体構成部分２０２およびヒートシンク２０４、あるいは代わりにまたは追加的に中間構造は、内部空間２０６を実質的に取り囲む筐体２０５を画定するように結び付くことができる。
【０００８】
本明細書における筐体２０５への言及は、筐体構成部分２０２およびヒートシンク２０４の一方または両方を指すために用いられる。代わりにまたは加えて、本明細書では筐体２０５への言及は、中間構造を含むことができる。さらにまた、内部空間２０６への言及は、筐体構成部分２０２によって画定される内部空間、およびヒートシンク２０４によって画定される内部空間の一方または両方を指すことができる。当然のことながら、この点で、ヒートシンク２０４および筐体構成部分２０２のうちの他方によって内部空間が閉じられるように、ヒートシンク２０４および筐体構成部分２０２のうちの一方によって内部空間２０６を画定できる。代わりにまたは加えて、内部空間２０６への言及は、中間構造によって画定された内部空間を指すことができる。
【０００９】
一例において、ヒートシンク２０４は、ベース２２２と、横断方向Ｔに沿ってベース２２２から延びる少なくとも１つの側壁２２３とを含むことができる。例として、少なくとも１つの側壁２２３は、ベース２２２の外周から延びることができる。ベース２２２および側壁２２３は、内部空間２０６の少なくとも一部分を画定するように結び付くことができる。例として、ベース２２２は、内表面２２４ａと、横断方向Ｔに沿って内表面の反対側の外表面２２４ｂ（図２Ａ参照）とを画定する。側壁２２３は、外表面２２４ｂから内表面２２４ａへ画定された方向にベース２２２から延びることができる。ヒートシンク２０４および筐体構成部分２０２が内部空間２０６を実質的に取り囲むべく結び付くように、側壁２２３を筐体構成部分２０２に取り付けることができる。従って、筐体構成部分２０２、ヒートシンク２０４の内表面２２４ａ、およびヒートシンク２０４の少なくとも１つの側壁２２３によって内部空間２０６を画定できる。照明器具２００は、少なくとも１つの側壁２２３と筐体構成部分２０２とのインターフェースをシールするために、インターフェースに配置されたガスケット２２５をさらに含むことができる。一例において、ガスケット２２５をエラストマ・ガスケットとして構成できる。さらにまた、筺体２０５は、内部空間２０６中へ延びる開放開口部をなくすことができる。それに応じて、照明器具２００をシールして屋外使用に適するようにできる。一例において、照明器具２００を屋外の街灯として用いるために構成できる。
【００１０】
筺体構成部分２０２は、光源と、光源がレンズ２０７を通して光を放出すべく構成されるように光源と光学的に連絡するレンズ２０７とを含む。従って、レンズ２０７を少なくとも半透明にできて、いくつかの実施形態では実質的に透明にできる。特に、照明器具は、内部空間２０６に配置されたＬＥＤパネル２０８を含むことができる。従って、光源をＬＥＤパネルの基板２１２によって支持された少なくとも１つのＬＥＤ２１０として構成できる。少なくとも１つのＬＥＤ２１０は、照明の少なくとも一部分がレンズ２０７を通して導かれるような、照明を生み出すように構成される。一例において、少なくとも１つのＬＥＤ２１０は、基板２１２によって支持された複数のＬＥＤ２１０を含む。
【００１１】
照明器具２００は、内部空間２０６内で支持されて、電力源から入力電力を受け取り、次には電力を出力するように構成されたドライバ２１４をさらに含む。ドライバ２１４は、少なくとも１つのＬＥＤ２１０が出力電力を受け取り、それに応答して、照明を生み出すべく構成されるように、ＬＥＤパネル２０８と電気的に連絡する。少なくとも１つのＬＥＤ２１０を赤色−緑色−青色（ＲＧＢ）ＬＥＤとして、または所望される任意の適切な代わりのＬＥＤとして構成できる。一例において、筺体２０５は、外部電力源と電気的に連絡する相補的なインターフェースと嵌合するように構成された、インターフェース２１６を画定できる。インターフェース２１６をレセプタクルとして構成できて、このレセプタクルは、ヒートシンク２０４のような筐体２０５と、ヒートシンク２０４に固定され、インターフェース２１６を部分的に画定するように構成された端部カバー２１７とによって少なくとも部分的に画定される。照明器具２００は、内部２０６においてインターフェース２１６に近接した位置に配置された電気コネクタ２１８を含むことができる。電気コネクタ２１８は、入力外部電力を受け取るために電力源の相補的な電気コネクタと嵌合するように構成される。電気コネクタ２１８は、入力電力のドライバ２１４への伝送を許容するためにさらにドライバ２１４と電気的に連絡できる。代わりに、照明器具２００は、オンボード電力源、例えば、電気化学セルを含むことができる。
【００１２】
図１Ａ〜１Ｂを引き続き参照すると、ベース２２２、従って、ヒートシンク２０４は、第１の端部２０４ａと、横断方向に実質的に垂直な縦方向Ｌに沿って第１の端部２０４ａの反対側の第２の端部２０４ｂとを画定できる。同様に、筐体構成部分２０２は、第１の端部２０２ａと、縦方向Ｌに沿って第１の端部２０２ａの反対側の第２の端部２０２ｂとを画定できる。第１の端部２０２ａは、横断方向Ｔに沿って第１の端部２０４ａと整列できる。同様に、第２の端部２０２ｂは、横断方向Ｔに沿って第２の端部２０４ｂと整列できる。ベース２２２は、縦方向Ｌに沿った長さ、および縦方向Ｌに垂直な横方向Ａに沿った幅を画定できる。一例において、長さは、幅より大きくできる。第１の端部２０４ａは、ＬＥＤパネル２０８を保持するように構成された内部空間２０６のＬＥＤコンパートメント２０６ａを画定できる。内表面２２４ａがＬＥＤパネル２０８に面して少なくとも１つのＬＥＤ２１０と熱的に連絡するように、ＬＥＤパネル２０８を内部２０６で、特にＬＥＤコンパートメント２０６ａ内で支持できる。従って、内表面２２４ａは、動作中に少なくとも１つのＬＥＤ２１０から熱を受け取るように構成される。照明器具２００は、２次レンズ２０９をさらに含むことができ、２次レンズ２０９は、ＬＥＤパネル２０８とレンズ２０７との間に配置されて、所望される照明を形作るか、または別様に条件付けるように構成される。従って、レンズ２０７を筐体構成部分２０２の第１の端部２０４ａに配置できる。
【００１３】
第２の端部２０４ｂは、ドライバ２１４を保持するように構成された内部空間２０６のドライバ・コンパートメント２０６ｂを画定できる。さらにまた、ドライバ・コンパートメント２０６ｂは、電気コネクタ２１８を保持できる。ベース２２２は、ドライバ・コンパートメント２０６ｂがＬＥＤコンパートメント２０６ａの深さより大きい深さを横断方向Ｔに有するように、ステップ２２７をＬＥＤコンパートメント２０６ａとドライバ・コンパートメント２０６ｂとの間に画定できる。照明器具２００は、ドライバ２１４および電気コネクタ２１８を内部空間２０６内で、特にドライバ・コンパートメント２０６ｂ内で固定するように構成されたドライバ・カバー２２０をさらに含むことができる。ドライバ・コンパートメント２０６ｂを取り囲むために、ドライバ・カバー２２０を、例として締め具２２１を用いて、ヒートシンクに固定できる。ドライバ２１４および電気コネクタ２１８を各々ヒートシンク２０４およびドライバ・カバー２２０のいずれかまたは両方に固定できる。
【００１４】
図２Ａ〜２Ｂも参照すると、ヒートシンク２０４は、それぞれの近位端２２８ａからそれぞれの遠位端２２８ｂへ外表面２２４ｂから突き出る複数のフィン２２８を画定できる。一例において、遠位端２２８ｂは、外表面２２４ｂに実質的に垂直な方向に沿ってそれぞれの近位端２２８ａから離隔できる。一例において、フィン２２８は、それらのそれぞれの近位端２２８ａからそれらのそれぞれの遠位端２２８ｂまで連続的とすることができる。フィン２２８の遠位端２２８ｂは、他のフィン２２８の遠位端２２８ｂから離れていることができ、従って、自由端と呼ぶことができる。
【００１５】
例として、フィン２２８は、ヒートシンク２０４の第１の端部２０４ａでは外表面２２４ｂから突き出ることができる。加えて、フィン２２８は、ヒートシンク２０４の第２の端部２０４ｂでは外表面２２４ｂの全体に至るまでの少なくとも一部分から突き出ることができる。代わりにまたは加えて、ヒートシンク２０４の第２の端部２０４ｂでは外表面２２４ｂの全体に至るまでの少なくとも一部分は、実質的に平滑とすることができ、すなわちフィン２２８がない。一例において、第２の端部２０４ｂにおける外表面２２４ｂを第１の端部２０４ａにおけるフィン２２８の遠位端２２８ｂと実質的に同一平面上とすることができる。代わりに、第１の端部２０４ａにおけるフィン２２８の遠位端２２８ｂは、第２の端部２０４ｂにおける外表面２２４ｂに対して凹んでいることができる。さらに代わりに、第２の端部２０４ｂにおける外表面２２４ｂは、第１の端部２０４ａにおけるフィン２２８の遠位端２２８ｂに対して凹んでいることができる。レンズ２０７が筐体構成部分２０２の少なくとも第１の端部２０２ａに配置されて、ＬＥＤパネル２０８がＬＥＤコンパートメント２０６ａ内に配置されるため、ＬＥＤパネル２０８のＬＥＤ基板２１２を、例として、横断方向Ｔに対して、レンズ２０７とフィン２２８のうちの少なくとも１つとの間に配置できる。それに応じて、レンズ２０７とＬＥＤパネル２０８とを通して延びる直線は、フィン２２８のうちの１つも通過できる。この直線を横断方向Ｔに沿うように向けることができる。
【００１６】
フィン２２８が複数の利用可能な形状のうちのある形状を画定しうるように、ヒートシンク２０４を製造できる。例として、ヒートシンク２０４の少なくとも一部分をプラスチックから作ることができる。一例において、外表面２２４ｂおよびフィン２２８を熱伝導性プラスチックから作ることができる。従って、鋳造金属でできた従来型ヒートシンクのフィンの形状とは異なる形状を用いて、フィン２２８を製造できる。例として、熱伝導性プラスチックは、熱可塑性プラスチックとすることができる。少なくとも外表面２２４ｂおよびフィン２２８は、成形プラスチック部品とすることができる。
【００１７】
従って、フィン２２８および外表面２２４ｂは、均質なモノリシック（一体の）構成部品を画定できる。均質なモノリシック構成部品は、プラスチック製構成部品とすることができ、これを第１のプラスチック材料２２９ａとすることができる。例として、第１のプラスチック材料２２９ａは、上記の通りとすることができる。従って、第１のプラスチック材料２２９ａは、熱可塑性プラスチックとすることができる。第１のプラスチック材料２２９ａを熱伝導性にでき、従って、ヒートシンク２０４がＬＥＤパネル２０８から十分な熱量を除去することを許容し、それによって、少なくとも１つのＬＥＤ２１０を所望のＬＥＤ接合温度以下に維持することを実質的に助けるために、十分な熱伝導率を有することができる。一例において、ＬＥＤ接合温度は、摂氏９０度となりうる。一実施形態において、第１のプラスチック材料２２９ａは、規格ＩＳＯ２２００７−２（２００８）に従って測定される、約１Ｗ／ｍ・Ｋ（ワット／メートル・ケルビン）と約２０Ｗ／ｍ・Ｋとの間およびこれらの値を含む範囲内の６０ｍｍ（ミリメートル）×６０ｍｍ×３ｍｍの額の面内の熱伝導率を有することができる。一例において、面内熱伝導率は、規格ＩＳＯ２２００７−２（２００８）に従って測定される約１．５Ｗ／Ｍ・Ｋと約１８．０Ｗ／ｍ・Ｋとの間およびこれらの値を含む範囲内、例えば、約１．５Ｗ／ｍ・Ｋ、約１．９Ｗ／ｍ・Ｋ、約３．３Ｗ／ｍ・Ｋ、約３．４Ｗ／ｍ・Ｋ、または約１８Ｗ／ｍ・Ｋとすることができる。第１のプラスチック材料２２９ａは、規格ＩＳＯ２２００７−２（２００８）に従って測定される０．５および５Ｗ／ｍ・Ｋの間およびこれらの値を含む範囲内、例えば、約２．０Ｗ／ｍ・Ｋの６０ｍｍ×６０ｍｍ×３ｍｍの額の厚み方向の熱伝導率を有することができる。例として、厚み方向熱伝導率は、規格ＩＳＯ２２００７−２（２００８）に従って測定される０．８Ｗ／ｍ・Ｋと１．５Ｗ／ｍ・Ｋとの間およびこれらの値を含む範囲内、例えば、約１．３Ｗ／ｍ・Ｋとすることができる。上記のような面内および厚み方向伝導率の二乗平均平方根（ＲＭＳ：ｒｏｏｔ  ｍｅａｎ  ｓｑｕａｒｅ）値は、約１．２Ｗ／ｍ・Ｋと約１２．８Ｗ／ｍ・Ｋとの間およびこれらの値を含む範囲内とすることができる。第１のプラスチック材料は、約摂氏３２０度と摂氏３５０度との間の融解温度を有することができる。本明細書において特定される面内および厚み方向熱伝導率をいずれも規格ＩＳＯ２２００７−２（２００８）に従って測定できる。おおよその熱伝導率値がかかる測定における典型的な変動を説明できる。第１のプラスチック材料２２９ａは、約摂氏３２０度と摂氏３５０度との間の融解温度を有することができる。第１のプラスチック材料２２９ａは、所望により電気絶縁性または電気伝導性とすることができる。かかる第１のプラスチック材料２２９ａの一例は、リヤド、サウジアラビアに主たる事務所を有するＳＡＢＩＣから市販されているＫｏｎｄｕｉｔ（登録商標）プラスチック材料である。
【００１８】
一例において、均質なモノリシック構成部品を射出成形できる。例として、少なくとも第１の端部２０４ａにおいて、ベース２２２の全体を内表面２２４ａから外表面２２４ｂまで均質なモノリシック構成部品として第１のプラスチックから成形できる。さらにまた、第１の端部２０４ａおよび第２の端部２０４ｂを含めて、ベース２２２の全体を内表面２２４ａから外表面２２４ｂまで均質なモノリシック構成部品として第１のプラスチックから成形できる。なおさらに、ベース２２２および少なくとも１つの側壁２２３を含めて、ヒートシンク２０４の全体を均質なモノリシック構成部品として第１のプラスチックから成形できる。
【００１９】
図２Ａ〜２Ｂに示されるように、ヒートシンク２０４の第１の部分２２６ａは、第１のプラスチック材料２２９ａを備えることができ、ヒートシンク２０４の第２の部分２２６ｂは、第１のプラスチック材料２２９ａとは異なる第２の材料２２９ｂを備えることができる。一例において、第２の材料２２９ｂは、熱可塑性プラスチックのようなプラスチック材料とすることができる。第２の材料２２９ｂは、第１のプラスチック材料２２９ａより小さい熱伝導率を有する。さらにまた、第２の材料２２９ｂを第１の材料より安価であるように選択できる。一例において、第２の材料２２９ｂは、上記のようにポリカーボネート、またはポリカーボネート／アクリロニトリルブタジエンスチレン（ＰＣ／ＡＢＳ：Ｐｏｌｙｃａｒｂｏｎａｔｅ／Ａｃｒｙｌｏｎｉｔｒｉｌｅ  Ｂｕｔａｄｉｅｎｅ  Ｓｔｙｒｅｎｅ）とすることができる。当然のことながら、もちろん、第１のプラスチック材料２２９ａおよび第２のプラスチック材料２２９ｂは、所望される任意の適切なプラスチック材料を定めることができる。
【００２０】
ヒートシンク２０４の第１の部分２２６ａを少なくとも部分的に第１の端部２０４ａに配置できる。同様に、ヒートシンク２０４の第２の部分２２６ｂを少なくとも部分的に第１の端部２０４ａに配置できる。例として、第１の部分２２６ａのすべてに至るまでの少なくともいくらかは、横断方向Ｔに沿ってＬＥＤパネル２０８と整列したヒートシンク２０４の領域に位置できる。第２の部分２２６ｂのすべてに至るまでの少なくともいくらかは、横断方向Ｔに沿ってＬＥＤパネル２０８と整列していないヒートシンク２０４の領域に位置できる。平均して、第１の部分２２６ａは、第２の部分２２６ｂより横断方向Ｔに沿ってＬＥＤ２１０とよく整列していると言える。それに応じて、第１の部分２２６ａは、第２の部分２２６ｂより大きい熱伝導率を有する。一例において、縦方向Ｌおよび横方向Ａを含む平面について、第１の部分２２６ａの少なくとも一部分は、第２の部分２２６ｂによって取り囲まれる。例として、縦方向Ｌおよび横方向Ａを含む平面について、第１の部分２２６ａの全体を第２の部分２２６ｂによって取り囲むことができる。
【００２１】
フィン２２８は、照明器具２００から周囲環境中への熱伝達を容易にするために周囲環境に曝された外表面エリアを画定できることがわかる。一例において、すべてのフィン２２８を第１の部分２２６ａに配置できる。代わりに、フィン２２８の一部分を第２の部分２２６ｂに配置できる。第１の部分２２６ａは、第２の部分２２６ｂがＬＥＤ２１０と整列されるのよりよくＬＥＤ２１０と整列されるため、ＬＥＤ、第１の部分２２６ａが第２の部分２２６ｂより多くのフィンの表面積を載せる。
【００２２】
第２の部分２２６ｂを少なくとも部分的または全体的に第１の端部２０４ａにおいて画定できる。一例において、第２の端部２０４ｂを第２の部分２２６ｂによって画定することもできる。第１の部分２２６ａは、第２の部分２２６ｂとモノリシックにできる。例として、第１の部分２２６ａを第２の部分２２６ｂと同時注入することができる。図２Ｂは、第２の部分２２６ｂから分解された第１の部分２２６ａを示すが、これは、第１の部分２２６ａを特定する説明のためであり、当然のことながら、第１および第２の部分２２６ａおよび２０４ｂは、互いにモノリシックにできる。代わりに、第１の部分２２６ａを第２の部分２２６ｂに取り付けることができる。第１の部分２２６ａおよび第２の部分２２６ｂは、第１の端部２０４ａにおいて互いにモノリシックにできる。第１の端部２０４ａは、第２の端部２０４ｂとモノリシックにできる。一例において、第１の端部２０４ａは、第２の端部２０４ｂと均質にできる。代わりに、第１の端部２０４ａを第２の端部２０４ｂと同時注入することができる。
【００２３】
図３Ａ〜３Ｂを次に参照すると、ヒートシンク２０４は、導電性材料、例えば、金属２３０をさらに含むことができる。金属２３０を金属プレートとして構成できる。金属プレートを横方向Ａおよび縦方向Ｌによって画定された平面に沿うように向けることができる。一例において、第１の端部２０４ａは、導電性材料をさらに含むことができる。例として、第１の端部２０４ａは、第１のプラスチック材料および金属２３０を含むことができる。図３Ａに示されるように、内表面２２４ａの全体に至るまでの内表面２２４ａの少なくとも一部分を金属２３０によって画定できる。外表面２２４ｂを第１のプラスチック材料２２９ａによって画定できる。上記のように、フィン２２８は、外表面２２４ｂから突き出ることができ、外表面２２４ｂと均質にできる。一例において、金属２３０を第１のプラスチック材料２２９ａによってオーバーモールドできる。代わりに、金属２３０をプラスチック材料２２９ａ中に挿入できる。代わりに、図３Ｂに示されるように、金属２３０を第１のプラスチック材料２２９ａによって実質的に封じ込めることができる。それに応じて、第１のプラスチック材料２２９ａは、内表面２２４ａおよび外表面２２４ｂの両方を画定できる。従って、ベース２２２は、金属を備えうることが理解されよう。例として、第１の端部２０４ａは、金属を備えることができる。ヒートシンク２０４が第１の部分２２６ａおよび第２の部分２２６ｂを画定する或る例では、第１の部分２２６ａが金属を備えることができる。
【００２４】
図４Ａ〜４Ｂを次に参照すると、第２の端部２０４ｂを第１の端部２０４ａから分離して、第１の端部２０４ａに取り付けられるように構成できる。一例において、第１および第２の端部２０４ａおよび２２６ｂを取り外し可能なように互いに取り付けることができる。例として、第１の端部２０４ａは、少なくとも１つの第１の取り付け部材２３２を含むことができ、第２の端部２０４ｂは、第１の端部２０４ａを第２の端部２０４ｂに取り付けるために第１の取り付け部材２３２と嵌合するように構成された少なくとも１つの第２の取り付け部材２３４を含むことができる。取り付け部材２３２および２３４を所望により任意の適切な実施形態に従って構築できる。さらにまた、取り付け部材２３２および２３４を互いに向かい合う第１および第２の端部２０４ａおよび２２６ｂのそれぞれの表面によって支持できる。一例において、取り付け部材２３２および２３４は、蟻継ぎを画定できる。第１および第２の取り付け部材は、縦方向Ｌに垂直な方向に沿った、第１および第２の端部２０４ａおよび２２６ｂのうちの少なくとも一方または両方の、第１および第２の端部２０４ａおよび２２６ｂのうちの他方に対する動きによって嵌合できる。例として、第１および第２の取り付け部材２２３および２３４は、横断方向Ｔに沿った、第１および第２の端部２０４ａおよび２２６ｂのうちの少なくとも一方または両方の、第１および第２の端部２０４ａおよび２２６ｂのうちの他方に対する動きによって嵌合できる。従って、第２の端部２０４ｂを第１の端部２０４ａとは異なる材料から作ることができる。例として、第２の端部２０４ｂを導電性にできる。一例において、第２の端部２０４ｂを金属製にできる。
【００２５】
図５Ａ〜５Ｂを次に参照すると、先に記載されたようなベース２２２および少なくとも１つの側壁２２３を第１のベースと呼ぶことができ、少なくとも１つの側壁２２３を第１の少なくとも１つの側壁と呼ぶことができる。ヒートシンク２０４の第１の端部２０４ａは、横方向Ａに沿って互いに離隔された第１および第２の側２３６ａおよび２３６ｂを含むことができる。第１のベース２２２および第１の少なくとも１つの側壁２２３を第１の側２３６ａに配置できる。第２の側２３６ｂは、第２のベース２２２および第２の少なくとも１つの側壁２２３を画定できる。第１の側２３６ａは、第１の側２３６ａの外表面２２４ｂから突き出る複数のフィン２２８のうちの第１のフィンを含むことができる。同様に、第２の側２３６ｂは、第２の側２３６ｂの外表面２２４ｂから突き出る複数のフィン２２８のうちの第２のフィンを含むことができる。第１の側２３６ａを第１の筐体構成部分２０２に付くように構成でき、第２の側２３６ｂを第２の筐体構成部分２０２に付くように構成できる。第１および第２の側２３６ａおよび２３６ｂを互いにモノリシックとすることができ、または代わりに所望される任意の仕方で互いに取り付けることができる。
【００２６】
第１および第２の側２３６ａおよび２３６ｂの各々を第２の端部２０４ｂに取り付けられるように構成できる。例として、第１の側２３６ａは、少なくとも１つの第１の取り付け部材２３２ａを含むことができ、第２の側２３６ｂは、少なくとも１つの第２の取り付け部材２３２ｂを含むことができる。第２の端部２０４ｂは、第１および第２の側２３６ａおよび２３６ｂの各々を第２の端部２０４ｂに取り付けるために、第１および第２の取り付け部材２３２ａおよび２３３ｂのそれぞれの部材と嵌合するように構成された少なくとも一対の取り付け部材３４３を含むことができる。取り付け部材２３２ａ〜ｂおよび２３４を所望により任意の適切な実施形態に従って構築できる。さらにまた、少なくとも１つの第１の取り付け部材２３２ａおよび第２の端部２０４ｂの取り付け部材２３４を互いに向かい合う第１の側２３６ａおよび第２の端部２０４ｂのそれぞれの表面によって支持できる。同様に、少なくとも１つの第２の取り付け部材２３２ｂおよび第２の端部２０４ｂの取り付け部材２３４を互いに向かい合う第２の側２３６ａおよび第２の端部２０４ｂのそれぞれの表面によって支持できる。一例において、取り付け部材２３２ａおよび２３４、ならびに２３２ｂおよび２３４は、それぞれの蟻継ぎを画定できる。
【００２７】
少なくとも１つの第１の取り付け部材２３２ａおよび第２の端部２０４ｂの取り付け部材２３４は、縦方向Ｌに垂直な方向に沿った、第１の側２３６ａおよび第２の端部２０４ｂのうちの少なくとも一方または両方の、第１の側２３６ａおよび第２の端部２０４ｂのうちの他方に対する動きによって嵌合できる。例として、少なくとも１つの第１の取り付け部材２３２ａおよび第２の端部２０４ｂの取り付け部材２３４は、横断方向Ｔに沿った、第１の側２３６ａおよび第２の端部２０４ｂのうちの少なくとも一方または両方の、第１の側２３６ａおよび第２の端部２０４ｂのうちの他方に対する動きによって嵌合できる。同様に、少なくとも１つの第２の取り付け部材２３２ｂおよび第２の端部２０４ｂの取り付け部材２３４は、縦方向Ｌに垂直な方向に沿った、第２の側２３６ｂおよび第２の端部２０４ｂのうちの少なくとも一方または両方の、第２の側２３６ｂおよび第２の端部２０４ｂのうちの他方に対する動きによって嵌合できる。例として、少なくとも１つの第２の取り付け部材２３２ｂおよび第２の端部２０４ｂの取り付け部材２３４は、横断方向Ｔに沿った、第２の側２３６ｂおよび第２の端部２０４ｂのうちの少なくとも一方または両方の、第２の側２３６ｂおよび第２の端部２０４ｂのうちの他方に対する動きによって嵌合できる。上記のように、第２の側２３６ｂを第１の側２３６ａによって支持できる。例として、第１および第２の側２３６ａおよび２３６ｂを互いに取り付けることができる。代わりに、第１および第２の側２３６ａおよび２３６ｂを互いにモノリシックにできる。従って、少なくとも１つの第１の取り付け部材２３２ａおよび少なくとも１つの第２の部材２３２ｂは、実質的に同時に第２の端部２０４ｂの取り付け部材２３４と嵌合できる。
【００２８】
第２の端部２０４ｂは、上記のようなドライバ・コンパートメント２０６ｂを少なくとも部分的に画定できる。さらにまた、第１および第２の側２３６ａおよび２３６ｂの各々は、それぞれのＬＥＤパネル２０８を各々が有する、上記のような、ＬＥＤコンパートメント２０６ａを少なくとも部分的に画定できる。各々のＬＥＤパネル２０８は、それぞれのＬＥＤ２１０から照明を生み出すべく出力電力のそれぞれの部分を受け取るためにドライバ２１４と電気的に連絡することができる。筐体構成部分２０２の第１の端部２０２ａは、第１の側と、横方向Ａに沿って第１の側から離隔された第２の側とを同様に画定できる。従って、ヒートシンク２０４の第１の側２３６ａは、筐体構成部分２０２の第１の側と整列され、ヒートシンク２０４の第２の側２３６ｂは、筐体構成部分２０２の第２の側と整列される。さらにまた、ヒートシンク２０４の第２の端部２０４ｂは、筐体構成部分２０２の第２の端部２０２ｂと整列される。
【００２９】
筺体構成部分２０２の第１の側は、第１の側２３６ａの第１のＬＥＤパネル２０８と整列された第１のレンズを含み、筺体構成部分２０２の第２の側は、第２の側２３６ｂの第２のＬＥＤパネル２０８と整列された第２のレンズを含む。筺体構成部分２０２の第１の側とヒートシンク２０４の第１の側２３６ａとの間の内部空間２０６に第１のＬＥＤパネルを配置できる。第１のＬＥＤパネルは、ドライバ２１４と電気的に連絡して、照明の少なくとも一部分が第１のレンズを通して導かれるような、照明を生み出すように構成された少なくとも１つの第１のＬＥＤ２１０を含むことができる。同様に、筺体構成部分２０２の第２の側とヒートシンク２０４の第２の側２３６ｂとの間の内部空間２０６に第２のＬＥＤパネル２０８を配置できる。第２のＬＥＤパネル２０８は、ドライバ２１４と電気的に連絡して、照明の少なくとも一部分が第２のレンズを通して導かれるような、照明を生み出すように構成された少なくとも１つの第１のＬＥＤ２１０を含むことができる。一例において、第１のレンズと第１のＬＥＤパネルとを通して延びる直線は、ヒートシンクの第１の側のフィンも通過する。この直線を横断方向Ｔに沿うように向けることができる。さらにまた、第２のレンズと第２のＬＥＤパネルとを通して延びる第２の直線は、ヒートシンクの第２の側のフィンも通過する。第２の直線を横断方向Ｔに沿うように向けることができる。第１および第２のレンズを別個のレンズとすることができ、または第１および第２のレンズを画定する領域を有するモノリシック・レンズに統合できることがわかる。
【００３０】
次に図６Ａ〜１２を全般的に参照すると、先に記載されたように、複数の利用可能な形状のうちで所望される任意の形状を複数のフィン２２８の少なくとも１つの群が画定できるように、ヒートシンク２０４を製造できる。利用可能な形状の群は、直線状形状（図６Ａ〜６Ｂ）、角のある形状（図７Ａ〜７Ｂ）、放射状形状（図８Ａ〜８Ｂ）、曲線状形状（図９Ａ〜９Ｂ）、ピン状形状（図１１）、およびピラミッド状形状（図１２）を含むことができる。さらにまた、フィン２２８を中実（図１０Ａ）または中空（図１０Ｂ）にできる。上記のように、各々のフィン２２８の近位端２２８ａは、ベース２２２から遠位端２２８ｂへ延び出る。フィンは、近位端２２８ａから遠位端２２８ｂへ延びる少なくとも１つの側壁２３８（図１０Ａ〜１０Ｂ参照）を各々が画定できる。各々の遠位端２２８ｂは、フィン２２８の第１の端部２４０ａから、第１の端部２４０ａの反対側のフィンの第２の端部２４０ｂへ伸長の方向に沿って延びることができる。直線状形状、角のある形状、曲線状形状、および放射状形状を遠位端２２８ｂの伸長の方向によって画定できる。ピン状形状およびピラミッド状形状を少なくとも１つの側壁２３８の近位端２２８ａから遠位端２２８ｂへの延長の方向によって画定できる。一例において、各々のフィン２２８は、第１の端部２４０ａから第２の端部２４０ｂまで連続的とすることができる。さらにまた、ヒートシンク２０４は、複数のフィン２２８のうちの隣接したフィン間のそれぞれのギャップ２４２（図１０Ａ〜１０Ｂ参照）を画定できる。エアギャップ２４２は、ベース２２２の周辺で、従って、ヒートシンク２０４の周辺で開いていることができる。
【００３１】
複数のフィン２２８は、利用可能な形状の群からの単一の形状を有する単一の群か、または利用可能な形状の群から選択されたそれぞれの異なる形状を各々が有する１つより多い群を含むことができる。一例において、複数のフィン２２８の第１の群は、利用可能な形状の群から選択された第１のフィン形状を画定でき、複数のフィン２２８の第２の群は、第１の形状とは異なる、利用可能な形状の群から選択された第２の形状を画定する。例として、共通のＬＥＤパネル２０８と熱的に連絡している位置でベース２２２の外表面２２４ｂに１つ以上の群を画定できる（図９Ａ〜９Ｂ参照）。一例において、１つの群を（図２Ａ〜２Ｂに関して先に記載された）ベース２２２の第１の部分２２６ａによって画定でき、別の群をベース２２２の第２の部分２２６ｂによって画定できる。代わりにまたは加えて、１つ以上の群を（図５Ａ〜５Ｂに関して先に記載された）第１の側２３６ａに配置でき、別の１つ以上の群を第２の側２３６ｂに配置できる。
【００３２】
図６Ａ〜６Ｂを次に参照すると、複数のフィン２２８の少なくとも１つの群は、直線状フィンを画定するように直線状形状を画定できる。例として、遠位端２２８ｂは、それぞれの第１の端部２４０ａからそれぞれの第２の端部２４０ｂへ直線状経路に沿って細長い。直線状経路を所望される任意の方向に沿うように向けることができる。一例において、直線状経路を縦方向に沿うように向けることができる。一例において、直線状形状を画定するフィン２２８の遠位端２２８ｂによって画定された直線状経路を互いに平行にできる。遠位端２２８ｂは、ベース２２２の第１の端部２０４ａにおける周辺から第２の端部２０４ｂへ延びることができる。フィン２２８は、第２の端部２０４ｂにおいて終結できる。フィン２２８のうちの隣接したフィンは、横方向Ａに沿ってベース２２２の第１の側からベース２２２の第２の側まで互いに離隔できる。第１および第２の側をベース２２２の外周に配置できる。それに応じて、フィン２２８は、ベース２２２の外表面２２４ｂの実質的な全体をカバーするフットプリントを画定できる。
【００３３】
図７Ａ〜７Ｂを次に参照すると、複数のフィン２２８の少なくとも１つの群は、角のある形状を画定できる。特に、遠位端２２８ｂは、第１の部分２４４ａと、第１の部分２４４ａに対して角度がずれた方向に第１の部分２４４ａから延びる第２の部分２４４ｂとを画定できる。各々のフィン２２８の第１の部分２４４ａは、ジャンクション２４５において第２の部分２４４ｂに接することができる。一例において、第２の部分２４４ｂを第１の部分２４４ａに対して実質的に垂直にできる。第１の部分２４４ａを互いに平行にできる。代わりに、第１の部分２４４ａは、第２の端部２０４ｂから第２の端部２０４ｂへの方向に対して互いに収束または発散できる。一例において、第１の部分２４４ａを縦方向Ｌに沿うように向けることができる。第２の部分２４４ｂを互いに平行にできる。代わりに、第２の部分２４４ｂは、横方向Ａに対して互いに収束または発散することができる。第２の部分２４４ｂを互いに平行にできる。一例において、第２の部分２４４ｂを横方向Ａに沿うように向けることができる。
【００３４】
少なくともいくつかのフィン２２８の第１の部分２４４ａは、それぞれの第１の端部２４０ａから第２の部分２４４ｂへ異なる第１の長さを有することができる。同様に、少なくともいくつかのフィン２２８の第２の部分２４４ｂは、それぞれの第１の端部第１の部分２４４ｂから第２の端部２４０ｂへ異なる第２の長さを有することができる。例として、第１の長さは、選択方向に増加することができる。選択方向を横方向Ａに沿うように向けることができる。一例において、フィン２２８は、第１の長さが選択方向に増加する第１の領域２４６ａを画定できる。フィン２２８は、第１の領域に隣接した第２の２４６ｂ領域を画定できる。第２の領域２４６ｂでは、第１の長さが選択方向に減少することができる。この点で、第１の長さは、第１および第２の領域２４６ａおよび２４６ｂの界面に配置された尖部を画定できる。尖部は、横方向Ａに対してフィン２２８の中間点にあるか、または代わりに所望されるように配置できる。
【００３５】
従って、当然のことながら、第１の領域２４６ａのフィン２２８は、選択方向に互いに離隔される。選択方向に互いに離隔された第１の領域２４６ａのフィン２２８の第２の長さは、増加するそれぞれの第２の長さを画定できる。さらにまた、第２の領域２４６ｂのフィン２２８は、選択方向に互いに離隔される。選択方向に互いに離隔された第２の領域２４６ｂのフィン２２８の第２の長さは、減少するそれぞれの第２の長さを画定できる。
【００３６】
第１の領域２４６ａにおけるジャンクション２４５は、第１の直線２４８ａを画定できて、第２の領域２４６ｂにおけるジャンクション２４５は、第２の直線２４８ｂを画定できる。第１および第２の直線２４８ａおよび２４８ｂは、互いに交差できる。第１および第２の直線２４８ａおよび２４８ｂのうちの少なくとも一方または両方は、ヒートシンクの外周に対して傾いていることができる。複数のフィン２２８の群は、第２の領域２４６ｂに隣接したフィン２２８の第３の領域２４６ｃと、第１および第３の領域２４６ａおよび２４６ｃに隣接したフィン２２８の第４の領域２４６ｄとをさらに画定できる。第３および第４の領域２４６ｃおよび２４６ｄは、それぞれのジャンクション２４５によって画定されたそれぞれの第３および第４の直線２４８ｃおよび２４８ｄを画定する。第１および第３の直線２４８ａおよび２４８ｃを共線にでき、第２および第４の直線２４８ｂおよび２４８ｄを共線にできる。従って、第３および第４の直線２４８ｃおよび２４８ｄのうちの少なくとも一方または両方は、ベース２２２の外周に対して傾いていることができる。第１、第２、第３、および第４の線２４８ａ〜２４８ｄは、所望により等しい長さまたは異なる長さを有することができる。第１および第２の部分２４４ａおよび２４４ｂが等しい長さを有する複数のフィン２２８のうちのフィンを領域２４４ａ〜２４４ｄが含まないように、これらの領域を構成できる。
【００３７】
図８Ａ〜８Ｂを次に参照すると、複数のフィン２２８の少なくとも１つの群は、放射状フィンを画定するように放射状形状を画定できる。放射状フィンの遠位端２２８ｂは、それぞれの第１の端部２４０ａからそれぞれの第２の端部２４０ｂへ延びるそれぞれの線２５０に沿って各々を細長くできる。従って、遠位端２２８ｂは、それぞれの第１の端部２４０ａからそれぞれの第２の端部２４０ｂへ真直ぐな経路に沿って延びることができる。線２５０のすべてに至るまでの少なくともいくつかは、互いに交差できる。すべての線２５０は、共通の中心位置から延びることができ、共通の中心位置は、線２５０が中心点２５２において互いに交差するように共通の中心点２５２を画定できる。第１の端部２４０ａが第２の端部２４０ｂに比べて中心位置により近いように、第１および第２の端部２４０ａおよび２４０ｂを配列できる。遠位端２２８ｂは、半径方向に沿って中心位置から離隔できる。
【００３８】
放射状フィンを少なくとも１つの行、例えば、複数の行に配列できる。各行を、半径方向に沿って、第１の端部２４０ａから中心位置への距離によって画定できる。例として、第１の行２５４ａに沿って、第１の端部２４０ａは、共通の中心から半径方向に沿った第１の距離を画定できる。第２の行２５４ｂに沿って、第１の端部２４０ａは、共通の中心から半径方向に沿った第２の距離を画定できる。第２の距離は、第１の距離より大きくできる。一例において、第１の行２５４ａにおけるすべての放射状フィンの第１の距離を同じにでき、第２の行２５４ｂにおけるすべての放射状フィンの第２の距離を同じにできる。従って、第１の行２５４ａの第１の端部２４０ａは、それぞれの円に沿って整列できる。同様に、第２の行２５４ｂの第１の端部２４０ａは、それぞれの円に沿って整列できる。
【００３９】
放射状フィンの遠位端２２８ｂは、円周方向に互いに離隔できる。例として、放射状フィンのうちの隣接したフィンは、約４度と約１０度との間で角度的に互いに離隔できる。従って、放射状フィンの少なくとも１つの群は、所望により幾つもの放射状フィン、例として３６と９０との間およびこれらの値を含む放射状フィンを含むことができる。放射状フィンの遠位端２２８ｂは、円周方向に互いに等距離に離隔できる。第１の行２５４ａの放射状フィンを第２の行２５４ｂの放射状フィンと連続したパターンで円周方向に配列できる。例として、第１の行２５４ａの放射状フィンを第２の行２５４ｂの放射状フィンと交互に円周方向に配列できる。代わりに、第２の行２５４ｂの１つより多い、例えば一対のフィン２２８を第１の行２５４ａのフィン２２８のうちの隣接したフィンの間に配置できる。第１および第２の行２５４ａおよび２５４ｂの放射状フィンの第２の端部２４０ｂをヒートシンク２０４の第１の端部２０４ａの外周に配置できる。従って、放射状フィンの少なくともいくつかの第２の端部２４０ｂを外表面２２４ｂの外周に配置できる。それに応じて、放射状フィンのうちの隣接したフィンの遠位端２２８ｂの第１の端部２４０ａから第２の端部２４０ｂへのそれぞれの長さは、互いに異なることができる。
【００４０】
図９Ａ〜９Ｂを次に参照すると、複数のフィン２２８の少なくとも１つの群は、曲線状フィンを画定するように曲線状形状を画定できる。特に、曲線状フィンの遠位端２２８ｂは、それぞれの第１の端部２４０ａからそれぞれの第２の端部２４０ｂまでの間の曲線状経路に沿って延びることができる。一例において、曲線状フィンの遠位端２２８ｂは、曲線状経路に沿ってそれぞれの第１の端部２４０ａからそれぞれの第２の端部２４０ｂへ延びることができる。例として、曲線状フィンは、横方向Ａより縦方向Ｌに沿ってより長く延びることができる。曲線状フィンの遠位端２２８ｂは、例として、それぞれの第１の端部２４０ａとそれぞれの第２の端部２４０ｂとの間で可変的な曲率を画定できる。少なくともいくつかの曲線状フィンの遠位端２２８ｂの全体に至るまでの少なくとも一部分を第１の端部２４０ａと第２の端部２４０ｂとの間のそれらの長さに沿って互いに平行にできる。例として、少なくともいくつかの曲線状フィンの遠位端２２８ｂの全体に至るまでの少なくとも一部分を第１の端部２４０ａから第２の端部２４０ｂへそれらの長さに沿って互いに平行にできる。
【００４１】
曲線状フィンは、曲線状フィンのうちの第１のフィン２５６ａおよび曲線状フィンのうちの第２のフィン２５６ｂを含むことができる。曲線状フィンのうちの第１のフィン２５６ａの遠位端２２８ｂは、曲線状フィンのうちの第２のフィン２５６ｂの遠位端２２８ｂから発散できる。例として、曲線状フィンのうちの第１のフィン２５６ａの遠位端２２８ｂは、それらがヒートシンク２０４の第１の端部２０４ａから第２の端部２０４ｂへの方向に延びるにつれて、曲線状フィンのうちの第２のフィン２５６ｂの遠位端２２８ｂの方へ発散できる。曲線状フィンのうちの第１のフィン２５６ａの遠位端２２８ｂを互いに平行にできる。同様に、曲線状フィンのうちの第２のフィン２５６ｂの遠位端２２８ｂを互いに平行にできる。一例において、曲線状フィンの第１および第２の端部２４０ａおよび２４０ｂのうちの一方は、ヒートシンク２０４の縦方向端で終結できる。第１および第２の端部２４０ｂのうちの他方は、縦方向端に垂直なヒートシンク２０４の横側のうちの１つで終結できる。一例において、第１および第２の端部２４０ａおよび２４０ｂをいずれもヒートシンク２０４の第１の端部２０４ａに配置できる。
【００４２】
上記のように、複数のフィン２２８は、利用可能なフィン形状のうちのそれぞれの異なる形状を各々が画定するフィンの複数の群を含むことができる。一例において、利用可能なフィン形状のうちの第１の形状を曲線状形状として構成でき、利用可能なフィン形状のうちの第２の異なる形状を直線状形状として構成できる。特に、曲線状フィンは、曲線状フィンのうちの拡散する第１および第２のフィン２５６ａおよび２５６ｂの間に配置されたギャップ２５８を画定できる。ギャップ２５８には直線状フィンを配置できる。例として、直線状フィンを縦方向Ｌに沿うように向けることができる。さらにまた、直線状フィンのうちの異なるフィンの遠位端２２８ｂは、それらのそれぞれの第１の端部２４０ａからそれらのそれぞれの第２の端部２４０ｂへ異なる長さを画定できる。直線状フィンは、ヒートシンク２０４の第２の端部２０４ｂから曲線状フィンに隣接した位置へ延びることができる。
【００４３】
図１０Ａ〜１０Ｂを次に参照すると、本明細書に記載されるフィン２２８は、容易な製造を許容し、使用中のそれらの熱伝導率を増加させるか、またはいずれも可能な幾何学的パラメータを有することができる。当然のことながら、もちろん、別に指示されない限り、フィン２２８がこれらのパラメータのいずれかに限定されることは意図されない。例として、図１０Ａに示されるように、フィン２２８のすべてに至るまでの１つ以上は、実質的に中実とすることができ、従って、対向する側壁２３８の一方から対向する側壁２３８の他方まで、近位端２２８ａから遠位端２２８ｂまで、フィンの長さの全体に至るまでの少なくとも過半数に沿って、第１のプラスチック材料を含むことができる。フィン２２８は、外表面２２４ｂから遠位端２２８ｂへの高さＨを画定できる。高さは、横断方向Ｔに沿って測定できる。一例において、高さは、約１０ｍｍと約５０ｍｍとの間およびこれらの値を含む範囲内とすることができる。さらにまた、遠位端２２８ｂは、遠位端２２８ｂの伸長の方向に垂直な方向に沿って厚さＴを画定できる。厚さＴは、例として、対向する側壁２３８の一方から対向する側壁２３８の他方までを測定できる。一例において、厚さＴは、約０．８ｍｍと約２．０ｍｍとの間およびこれらの値を含む範囲内とすることができる。
【００４４】
さらにまた、対向する側壁２３８のうちの少なくとも一方または両方は、対向する側壁２３８および参照面のうちの少なくとも一方または両方に対して抜き勾配Ａを画定するために、対向する側壁２３８の間の位置で外表面２２４ｂに垂直な参照面の方へ収束できる。抜き勾配は、成形された部分の型からの除去に適しうる。一例において、抜き勾配は、約０．１度と約３．０度との間およびこれらの値を含む範囲内とすることができる。さらにまた、フィン２２８のうちの隣接したフィンは、フィン２２８のうちの隣接したフィンの中心間距離として画定できる、ピッチＰに沿って互いに離隔できる。ピッチＰは、約４ｍｍと約１０ｍｍとの間およびこれらの値を含む範囲内とすることができる。加えて、ベース２２２は、内表面２２４ａから外表面２２４ｂへの厚さを画定できる。厚さは、約１．５ｍｍと約３．５ｍｍとの間およびこれらの値を含む範囲内とすることができる。
【００４５】
図１０Ｂを次に参照すると、フィン２２８のすべてに至るまでの１つ以上は、フィン２２８を中空フィンと呼ぶことができる、中空の内部２６０を画定できる。中空の内部２６０は、対向する側壁２３８の間に画定できる。特に、対向する側壁２３８は、互いに向かい合うそれぞれの内表面２３８ａと、内表面２３８ａの反対側の対向する外表面２３８ｂとを画定できる。中空の内部２６０は、対向する内壁２３８ａの間に画定できる。さらにまた、中空の内部２６０は、近位端２２８ａから遠位端２２８ｂへ延びることができる。なおさらに、中空の内部２６０は、ベース２２２を通して横断方向Ｔに沿って延びることができる。中空の内部２６０は、さらに、フィン２２８の長さの全体に至るまでの少なくとも過半数に沿って延びることができる。
【００４６】
フィン２２８は、外表面２２４ｂから遠位端２２８ｂへの高さＨを画定できる。高さは、横断方向Ｔに沿って測定できる。一例において、高さＨは、約１０ｍｍと約４０ｍｍとの間およびこれらの値を含む範囲内とすることができる。さらにまた、遠位端２２８ｂは、遠位端２２８ｂの伸長の方向に垂直な方向に沿って厚さＴ１を画定できる。厚さＴ１は、例として、対向する側壁２３８のうちの一方から対向する側壁２３８のうちの他方までを測定できる。一例において、厚さＴ１は、約２．５ｍｍと約４．５ｍｍとの間およびこれらの値を含む範囲内とすることができる。
【００４７】
さらにまた、対向する側壁２３８のうちの少なくとも一方または両方は、対向する側壁２３８および参照面のうちの少なくとも一方または両方に対して抜き勾配を画定するために、それぞれの側壁２３８とフィン２２８のうちの隣接したフィンとの間の位置で外表面２２４ｂに垂直な参照面の方へ収束できる。抜き勾配Ａは、成形された部分の型からの除去に適しうる。一例において、抜き勾配は、約０．１度と約２．０度との間およびこれらの値を含む範囲内とすることができる。さらにまた、中空フィン２２８のうちの隣接したフィンは、フィン２２８のうちの隣接したフィンの中心間距離として画定できる、ピッチＰに沿って互いに離隔できる。ピッチＰは、約６ｍｍと約１２ｍｍとの間およびこれらの値を含む範囲内とすることができる。実質的に中実なフィン２２８に関して先に記載されたように、ベース２２２は、内表面２２４ａから外表面２２４ｂへの厚さを画定できる。ベース２２２の厚さは、約１．５ｍｍと約３．５ｍｍとの間およびこれらの値を含む範囲内とすることができる。中空フィンは、例として、横断方向に沿った、フィン２２８の近位端２２８ａと遠位端２２８ｂとの間の中途の位置で対向する側壁２３８の内表面２３８ａ間の第２の厚さＴ２を画定できる。第２の厚さは、約０．８ｍｍと２．０ｍｍとの間およびこれらの値を含む範囲内とすることができる。
【００４８】
一例において、中空の内部２６０は、照明器具２００の動作中に中空のままであることができる。代わりに、中空の内部２６０の全体に至るまでの少なくとも一部分を熱伝導性ペーストで満たすことができる。熱伝導性ペーストは、所望される熱伝導率を有することができる。一例において、熱伝導性ペーストの熱伝導率は、第２の材料２２９ｂに関連して記載されるような熱伝導率より大きい熱伝導率を有することができる。
【００４９】
図１１を次に参照すると、先に記載されたように、複数のフィン２２８の少なくとも１つの群は、ピン状フィンを画定するようにピン状形状を画定できる。ピン状フィンは、ピン状フィンの複数の行２６２ａと、行２６２ａに対して角度がずれたピン状フィンの複数の列２６２ｂとを含むピン・フィールド２６２を画定できる。例として、列２６２ｂを行に垂直な方向に向けることができる。行２６２ａを横方向Ａに沿うように向けることができ、列２６２ｂを縦方向Ｌに沿うように向けることができる。例として、行２６２ａは、ベース２２２の対向する横側の各々へ延びることができる。列２６２ｂは、第２の端部２０４ｂから第１の端部２０４ａの縦方向端へ延びることができる。行のピン状フィンのうちの隣接したフィンは、第１の距離で互いに離隔され、列のピン状フィンのうちの隣接したフィンは、第２の距離で互いに離隔される。第１の距離は、第２の距離に等しくできる。代わりに、第１の距離は、第２の距離より大きく、または小さくできる。上記のように、各々のピン状フィンの遠位端２２８ｂは、ベース２２２の外表面２２４ｂに垂直な中心軸に沿ってそれぞれの近位端２２８ａから離隔できる。
【００５０】
ピン状フィンの少なくとも１つの側壁２３８は、近位端２２８ａと遠位端２２８ｂとの間に延びる丸い外表面を画定できる。例として、丸い外表面は、近位端２２８ａから遠位端２２８ｂへ延びることができる。従って、側壁２３８の丸い外表面を、中心軸に垂直な、ベース２２２の外表面２２４ｂに平行な方向に沿うフィン２２８を通して延びる面に沿って丸くできる。一例において、側壁２３８を実質的にシリンダとして構成できる。例として、ピン状フィンの近位端２２８ａおよび遠位端２２８ｂのうちの少なくとも一方または両方を円形にできる。従って、各々の近位端２２８ａは、ベース２２２の外表面２２４ｂに平行な方向に向けられ、従って、中心軸に垂直にできる２つの垂直な線に沿って等しい長さを画定できる。同様に、各々の遠位端２２８ｂは、ベース２２２の外表面２２４ｂに平行な方向に向けられ、従って、中心軸に垂直にできる２つの垂直な線に沿って等しい長さを画定できる。
【００５１】
近位端２２８ａから遠位端２２８ｂへの方向に沿って、ピン状フィンの少なくとも１つの側壁２３８にさらにテーパを付けることができる。例として、ピン状フィンの少なくとも１つの側壁２３８に近位端２２８ａから遠位端２２８ｂへテーパを付けることができる。一例において、遠位端２２８ｂは、中心軸に垂直なそれぞれの面に沿って最大距離を画定できる。同様に、近位端は、中心軸に垂直なそれぞれの面に沿った最大距離を画定できる。遠位端２２８ｂにおける最大距離は、近位端２２８ａにおける最大距離の半分と、近位端２２８ａにおける最大距離の全体との間およびこれらの値を含む範囲内とすることができる。例として、遠位端２２８ｂにおける最大距離は、近位端２２８ａにおける最大距離の約８０パーセントと全体との間およびこれらの値を含む範囲内とすることができる。近位端２２８ａおよび遠位端２２８ｂの断面が円形であるとき、最大距離は、直径とすることができる。
【００５２】
図１２を次に参照すると、先に記載されたように、複数のフィン２２８の少なくとも１つの群は、ピラミッド状フィンを画定するようにピラミッド状形状を画定できる。ピラミッド状フィンをピラミッド状フィンの複数の行２６４ａと、行２６４ａに対して角度がずれたピラミッド状フィンの複数の列２６４ａとを含むマトリックス２６４に配置できる。例として、列２６４ｂを行に垂直な方向に向けることができる。行２６４ａを横方向Ａに沿うように向けることができ、列２６４ｂを縦方向Ｌに沿うように向けることができる。例として、行２６４ａは、ベース２２２の対向する横側の各々へ延びることができる。列２６４ｂは、第２の端部２０４ｂから第１の端部２０４ａの縦方向端へ延びることができる。行２６４ａのピラミッド状フィンのうちの隣接したフィンは、第１の距離で互いに離隔され、列２６４ｂのピラミッド状フィンのうちの隣接したフィンは、第２の距離で互いに離隔される。第１の距離は、第２の距離に等しくできる。代わりに、第１の距離は、第２の距離より大きく、または小さくできる。上記のように、各々のピラミッド状フィンの遠位端２２８ｂは、ベース２２２の外表面２２４ｂに垂直な中心軸に沿って、それぞれの近位端２２８ａから離隔できる。
【００５３】
上記のように、ピラミッド状フィンは、近位端２２８ａと遠位端２２８ｂとの間に延びる少なくとも１つの側壁２３８を画定する。例として、少なくとも１つの側壁２３８は、近位端２２８ａから遠位端２２８ｂへ延びることができる。一例において、少なくとも１つの側壁２３８は、近位端２２８ａから遠位端２２８ｂへの方向に沿って収束するか、またはテーパを付けることができる少なくとも１つの外表面を画定できる。例として、少なくとも１つの外表面は、近位端２２８ａから遠位端２２８ｂへ収束するか、またはテーパを付けることができる。一例において、少なくとも１つの外表面は、ベース２２２の外表面２２４ｂに実質的に平行な方向に沿うピラミッド状フィンを通して延びる面に沿って、互いに対してある角度をなす複数の角のある表面を含むことができる。遠位端２２８ｂは、中心軸に垂直なそれぞれの面内に延びる２つの垂直な線に沿って、最大距離を画定できる。従って、ピラミッド状フィンの遠位端２２８ｂは、ベース２２２の外表面２２４ｂに平行な方向に向けられた２つの垂直な線に沿って、等しい長さを画定できる。同様に、近位端２２８ａは、中心軸に垂直なそれぞれの面内に延びる２つの垂直な線に沿って、最大距離を画定できる。一例において、近位端２２８ａにおける２つの垂直な線の各々は、矩形、例えば、正方形を一対の直角三角形に二等分できる。従って、ピラミッド状フィンの近位端２２８ａは、ベース２２２の外表面２２４ｂに平行な方向に向けられた２つの垂直な線に沿って等しい長さを画定できる。遠位端２２８ｂにおける長さは、近位端２２８ａの長さの半分未満とすることができる。例として、遠位端２２８ｂは、実質的に尖った先端を画定できる。
【００５４】
図１Ａ〜１２を全般的に参照すると、当然のことながら、ヒートシンク２０４および照明器具２００の一方または両方を製造するための方法を提供できる。方法は、利用可能な形状の少なくとも１つの群のフィン形状を選択するステップと、先に記載されたいずれかの仕方でヒートシンク２０４を製造するステップとを含むことができる。方法は、先に記載されたいずれかの仕方で照明器具２００を製造するステップをさらに含むことができる。
【００５５】
当然のことながら、本開示は、以下の例のすべてに至るまでのいずれか１つを含むことができる。
【００５６】
例１。ヒートシンクであって、
少なくとも１つのＬＥＤと熱的に連絡して置かれるように構成された内表面と、内表面の反対側の外表面とを画定するベース、および
近位端から遠位端へ外表面から突き出る複数のプラスチック・フィンであって、複数のフィンの少なくとも１つの群は、直線状形状、角のある形状、放射状形状、ピン状形状、ピラミッド状形状、および曲線状形状を含む利用可能な形状の群の少なくとも１つから選択されたフィン形状を画定する、複数のプラスチック・フィン
を備える、ヒートシンク。
【００５７】
例２。直線状形状、角のある形状、曲線状形状、および放射状形状は、複数のフィンの群の遠位端の伸長の方向によって画定される、例１に記載のヒートシンク。
【００５８】
例３。複数のフィンの少なくとも１つの群は、利用可能な形状の群から選択された第１のフィン形状を画定する複数のフィンの第１の群、および第１の形状とは異なり、利用可能な形状の群からの選択された第２の形状を画定する複数のフィンの第２の群を備える、例１〜２のいずれか１つに記載のヒートシンク。
【００５９】
例４。フィン形状は、直線状形状であり、遠位端は、互いに平行なそれぞれの直線状経路に沿って延びる、例２〜３のいずれか１つに記載のヒートシンク。
【００６０】
例５。角のある形状は、第１の部分と、第１の部分に対して角度がずれた方向に第１の部分から延びる第２の部分とを含む、例２〜４のいずれか１つに記載のヒートシンク。
【００６１】
例６。第２の部分は、第１の部分に実質的に垂直である、例５に記載のヒートシンク。
【００６２】
例７。複数のフィンの群の第１の部分は、互いに平行である、例５〜６のいずれか１つに記載のヒートシンク。
【００６３】
例８。複数のフィンの群の第２の部分は、互いに平行である、例５〜７のいずれか１つに記載のヒートシンク。
【００６４】
例９。少なくともいくつかの第１の部分は、異なる長さを有する、例５〜８のいずれか１つに記載のヒートシンク。
【００６５】
例１０。少なくともいくつかの第２の部分は、異なる長さを有する、例５〜９のいずれか１つに記載のヒートシンク。
【００６６】
例１１。複数のフィンの群は、第１の領域を画定し、第１の領域の第１の部分は、選択方向に増加するそれぞれの第１の長さを有する、例５〜１０のいずれか１つに記載のヒートシンク。
【００６７】
例１２。第１の領域の第２の部分は、選択方向に増加するそれぞれの第２の長さを有する、例１１に記載のヒートシンク。
【００６８】
例１３。複数のフィンの群は、第２の領域を画定し、第２の領域の第１の部分は、選択方向に減少するそれぞれの第１の長さを有する、例１１〜１２のいずれか１つに記載のヒートシンク。
【００６９】
例１４。第２の領域の第２の部分は、選択方向に減少するそれぞれの第２の長さを有する、例１３に記載のヒートシンク。
【００７０】
例１５。第２の部分は、ジャンクションにおいて第１の部分に接し、第１および第２の領域のジャンクションは、それぞれ、第１および第２の直線を画定する、例１３〜１４のいずれか１つに記載のヒートシンク。
【００７１】
例１６。第１および第２の直線は、互いに交差する、例１５に記載のヒートシンク。
【００７２】
例１７。第１および第２の直線のうちの少なくとも１つは、ヒートシンクの外周に対して傾いている、例１５〜１６のいずれか１つに記載のヒートシンク。
【００７３】
例１８。複数のフィンの群は、第３および第４の領域のジャンクションが、それぞれ、第３および第４の直線を画定するように、第３および第４の領域を画定する、例１５〜１７のいずれか１つに記載のヒートシンク。
【００７４】
例１９。第１および第３の直線は、共線であり、第２および第４の直線は、共線である、例１８に記載のヒートシンク。
【００７５】
例２０。第１および第２の線は、互いに垂直である、例１９に記載のヒートシンク。
【００７６】
例２１。第３および第４の直線のうちの少なくとも１つは、ヒートシンクの外周に対して傾いている、例１８〜２０のいずれか１つに記載のヒートシンク。
【００７７】
例２２。第１、第２、第３、および第４の直線は、等しい長さを有する、例１８〜２１のいずれか１つに記載のヒートシンク。
【００７８】
例２３。第１、第２、第３、および第４の領域は、第１および第２の部分が等しい長さを有するフィンを含まない、例１８〜２２のいずれか１つに記載のヒートシンク。
【００７９】
例２４。複数のフィンは、第１および第２の部分が等しい長さを有するフィンを含まない、例５〜２２のいずれか１つに記載のヒートシンク。
【００８０】
例２５。その遠位端が放射状形状を画定する複数のフィンの群は、放射状フィンであり、放射状フィンの遠位端は、すべてが互いに交差するそれぞれの線に沿って各々が細長い、例２２〜２４のいずれか１つに記載のヒートシンク。
【００８１】
例２６。すべての線は、共通の中心位置から延びる、例２５に記載のヒートシンク。
【００８２】
例２７。共通の中心位置は、中心点を画定し、かかるすべてのそれぞれの線は、中心点において互いに交差する、例２６に記載のヒートシンク。
【００８３】
例２８。複数のフィンの群のフィンの遠位端は、すべてが中心位置から離隔された、例２６〜２７のいずれか１つに記載のヒートシンク。
【００８４】
例２９。複数のフィンの群のフィンの遠位端は、円周方向に互いに離隔された、例２５〜２８のいずれか１つに記載のヒートシンク。
【００８５】
例３０。放射状フィンのうちの隣接したフィンは、約４度と約１０度との間で角度的に互いに離隔された、例２９に記載のヒートシンク。
【００８６】
例３１。複数のフィンの群は、円周方向に互いに離隔された３６個と９０個との間およびこれらの値を含む放射状フィンを備える、例２９〜３０のいずれか１つに記載のヒートシンク。
【００８７】
例３２。複数のフィンの群のフィンの遠位端は、互いに等距離に離隔された、例２９〜３１のいずれか１つに記載のヒートシンク。
【００８８】
例３３。各々の放射状フィンの遠位端は、第２の端部と、第２の端部の反対側にあり、第２の端部により近く配置された第１の端部とを画定する、例２６〜３２のいずれか１つに記載のヒートシンク。
【００８９】
例３４。複数の放射状フィンの群の少なくともいくつかの放射状フィンの遠位端の第１の端部は、円に沿って整列された、例３３に記載のヒートシンク。
【００９０】
例３５。放射状フィンは、第１の端部から第２の端部へそれぞれの長さを画定し、放射状フィンのうちの隣接したフィンの長さは、互いに異なる、例３３〜３４のいずれか１つに記載のヒートシンク。
【００９１】
例３６。少なくともいくつかの放射状フィンの第２の端部は、外表面の周辺に配置された、例３３〜３５のいずれか１つに記載のヒートシンク。
【００９２】
例３７。放射状の構成において、各フィンの遠位端は、第１の端部から第２の端部へ真直ぐな経路に沿って延びる、例３３〜３６のいずれか１つに記載のヒートシンク。
【００９３】
例３８。少なくとも１つの形状が曲線状形状を備えるときに、フィンの少なくとも１つの群は、その遠位端がそれらのそれぞれの長さに沿って曲がった曲線状フィンを備える、例２〜３７のいずれか１つに記載のヒートシンク。
【００９４】
例３９。少なくともいくつかの曲線状フィンは、それらのそれぞれの遠位端に沿って互いに平行である、例３８に記載のヒートシンク。
【００９５】
例４０。曲線状フィンのうちの第１のフィンの遠位端は、互いに平行であり、曲線状フィンのうちの第２のフィンの遠位端は、互いに平行であり、第１のフィンの遠位端は、それらの間にギャップを画定するように、それらのそれぞれの長さに沿って第２のフィンの遠位端から発散する、例３８〜３９に記載のヒートシンク。
【００９６】
例４１。フィンの第１の群は、曲線状フィンを備え、フィンの第２の群は、直線状形状を画定する、例３８〜４０のいずれか１つに記載のヒートシンク。
【００９７】
例４２。フィンの第２の群は、ギャップ内に配置された、例４１に記載のヒートシンク。
【００９８】
例４３。曲線状フィンの遠位端は、幅より長さに沿ってより長く延び、フィンの第２の群は、長さに平行な方向に向けられた、例４２に記載のヒートシンク。
【００９９】
例４４。遠位端は、外表面に実質的に垂直な方向に沿って近位端から離隔された、例３８〜４３のいずれか１つに記載のヒートシンク。
【０１００】
例４５。曲線状フィンの遠位端は、第１および第２の対向する端部を画定し、第１の端部と第２の端部との間の位置において可変的な曲率を画定する、例３８〜４４のいずれか１つに記載のヒートシンク。
【０１０１】
例４６。曲線状フィンの遠位端は、第１の端部から第２の端部へ可変的な曲率を画定する、例４５に記載のヒートシンク。
【０１０２】
例４７。直線状形状、角のある形状、放射状形状、または曲線状形状を画定するフィンは、約１０ｍｍと約５０ｍｍとの間およびこれらの値を含む範囲内の外表面から遠位端への高さを画定する、例１〜４６のいずれか１つに記載のヒートシンク。
【０１０３】
例４８。直線状形状、角のある形状、放射状形状、または曲線状形状を画定するフィンの遠位端は、遠位端において約０．８ｍｍと約２．０ｍｍとの間およびこれらの値を含む範囲内の遠位端の伸長の方向に垂直な方向に沿った幅を有する、例４７に記載のヒートシンク。
【０１０４】
例４９。直線状形状、角のある形状、放射状形状、または曲線状形状を画定するフィンは、近位端から遠位端へ延びる対向する側壁を画定し、側壁のうちの少なくとも一方または両方は、参考面に対して抜き勾配を画定するために、近位端から遠位端へ外表面に垂直な方向に向けられた参照面の方へ収束し、抜き勾配は、約０．１度と約３．０度との間およびこれらの値を含む範囲内にある、例４７〜４８のいずれか１つに記載のヒートシンク。
【０１０５】
例５０。直線状形状、角のある形状、放射状形状、または曲線状形状を画定するフィンのうちの隣接したフィンは、約４ｍｍと約１０ｍｍとの間およびこれらの値を含む範囲内の中心間距離で離隔された、例４７〜４９のいずれか１つに記載のヒートシンク。
【０１０６】
例５１。その遠位端が直線状形状、角のある形状、放射状形状、または曲線状形状を画定するフィンは、近位端から遠位端へ延びる対向する側壁を有する中空フィンであり、対向する側壁は、中空の内部をそれらの間に画定するように互いに向かい合うそれぞれの内表面と、内表面の反対側のそれぞれの外表面とを画定する、例１〜４６のいずれか１つに記載のヒートシンク。
【０１０７】
例５２。中空フィンの内表面は、近位端から遠位端への方向に沿って互いの方へ収束する、例５１に記載のヒートシンク。
【０１０８】
例５３。中空フィンの内表面のうちの少なくとも一方または両方は、ベースの外表面に垂直な面に対してある角度を画定し、その角度は、約０．１度と約２．０度との間およびこれらの値を含む範囲内にある、例５２に記載のヒートシンク。
【０１０９】
例５４。中空フィンの遠位端は、遠位先端の伸長に垂直な方向に沿って遠位先端における厚さを有し、その厚さは、約２．５ｍｍと約４．５ｍｍとの間およびこれらの値を含む範囲内にある、例５１〜５３のいずれか１つに記載のヒートシンク。
【０１１０】
例５５。中空フィンは、約１０ｍｍと約４０ｍｍとの間およびこれらの値を含む範囲内の近位端から遠位端への高さを画定する、例５１〜５４のいずれか１つに記載のヒートシンク。
【０１１１】
例５６。中空フィンのうちの隣接したフィンは、約６ｍｍと約１２ｍｍとの間およびこれらの値を含む範囲内の中心間距離で離隔された、例５１〜５５のいずれか１つに記載のヒートシンク。
【０１１２】
例５７。中空フィンは、フィンの近位端と遠位端との間の中途の位置で対向する側壁の内表面間の厚さを画定し、その厚さは、約０．８ｍｍと２．０ｍｍとの間およびこれらの値を含む範囲内にある、例５１〜５６のいずれか１つに記載のヒートシンク。
【０１１３】
例５８。中空の内部は、熱伝導性ペーストが満たされた、例５１〜５７のいずれか１つに記載のヒートシンク。
【０１１４】
例５９。ピン状形状を有するフィンは、ピン状フィンの行と、行に対して角度がずれたピン状フィンの列とを含むピン・フィールドに配列された、例１〜５８のいずれか１つに記載のヒートシンク。
【０１１５】
例６０。列は、行に垂直な方向に向けられた、例５９に記載のヒートシンク。
【０１１６】
例６１。各々のピン状フィンの遠位端は、外表面に垂直な方向に沿って近位端から離隔された、例５９〜６０のいずれか１つに記載のヒートシンク。
【０１１７】
例６２。各々のピン状フィンは、近位端から遠位端へ少なくとも１つの外表面を画定する、例５９〜６１のいずれか１つに記載のヒートシンク。
【０１１８】
例６３。少なくとも１つの外表面は、丸い外表面である、例６２に記載のヒートシンク。
【０１１９】
例６４。少なくとも１つの外表面は、実質的にシリンダ状の外表面である、例６３に記載のヒートシンク。
【０１２０】
例６５。行のピン状フィンのうちの隣接したフィンは、第１の距離で互いに離隔され、列のピン状フィンのうちの隣接したフィンは、第２の距離で互いに離隔されて、第１の距離は、第２の距離に等しい、例５９および６４のいずれか１つに記載のヒートシンク。
【０１２１】
例６６。複数のフィンの群の各々の近位端は、外表面に平行な方向に向けられた２つの垂直な線に沿って等しい長さを画定する、例５９〜６５のいずれか１つに記載のヒートシンク。
【０１２２】
例６７。複数のフィンの群の各々の遠位端は、外表面に平行な方向に向けられた２つの垂直な線に沿って等しい長さを画定する、例６６に記載のヒートシンク。
【０１２３】
例６８。各々の遠位端は、ベースの外表面に平行なそれぞれの面に沿って最大距離を画定し、各々の近位端は、ベースの外表面に平行なそれぞれの面に沿って最大距離を画定し、遠位端の最大距離は、近位端の最大距離の半分と近位端の最大距離の全体との間およびこれらの値を含む範囲内にある、例６７に記載のヒートシンク。
【０１２４】
例６９。各々の遠位端における最大距離は、近位端の最大距離の８０パーセントと全体との間にある、例６８に記載のヒートシンク。
【０１２５】
例７０。ピン状フィンの遠位端は、実質的に円形である、例５９〜６９のいずれか１つに記載のヒートシンク。
【０１２６】
例７１。その遠位端がピラミッド状形状を画定するフィンは、ピラミッド状フィンの行と、行に対して角度がずれたピラミッド状フィンの列とを含むマトリックスに配列されたピラミッド状フィンである、例２〜７０のいずれか１つに記載のヒートシンク。
【０１２７】
例７２。マトリックスの列は、マトリックスの行に垂直な方向に向けられた、例７１に記載のヒートシンク。
【０１２８】
例７３。各々のピラミッド状フィンの遠位端は、外表面に垂直な方向に沿って近位端から離隔された、例７１〜７２のいずれか１つに記載のヒートシンク。
【０１２９】
例７４。各々のピラミッド状フィンは、近位端から遠位端へ収束する少なくとも１つの外表面を画定する、例７１〜７３のいずれか１つに記載のヒートシンク。
【０１３０】
例７５。少なくとも１つの外表面は、外表面に実質的に平行な方向に沿うピラミッド状フィンを通して延びる面に沿って、互いに対して角度をなす複数の角度のある表面を備える、例７４に記載のヒートシンク。
【０１３１】
例７６。マトリックスの行のピラミッド状フィンのうちの隣接したフィンは、第１の距離で互いに離隔され、マトリックスの列のピラミッド状フィンのうちの隣接したフィンは、第２の距離で互いに離隔されて、第１の距離は、第２の距離に等しい、例７１〜７５のいずれか１つに記載のヒートシンク。
【０１３２】
例７７。ピラミッド状フィンの群の各々の近位端は、外表面に平行な方向に向けられた２つの垂直な線に沿って等しい長さを画定する、例７１〜７６のいずれか１つに記載のヒートシンク。
【０１３３】
例７８。複数のフィンの群の各々の遠位端は、外表面に平行な方向に向けられた２つの垂直な線に沿って等しい長さを画定する、例７７に記載のヒートシンク。
【０１３４】
例７９。各々の遠位端における長さは、各々の近位端における長さの半分より小さい、例７８に記載のヒートシンク。
【０１３５】
例８０。遠位端は、実質的に尖った先端を画定する、例７９に記載のヒートシンク。
【０１３６】
例８１。ベースは、約１．５ｍｍと約３．５ｍｍとの間およびこれらの値を含む範囲内の内表面から外表面への厚さを有する、例１〜８０のいずれか１つに記載のヒートシンク。
【０１３７】
例８２。フィンは、伸長のそれらのそれぞれの方向に沿って連続的である、例１〜８１のいずれか１つに記載のヒートシンク。
【０１３８】
例８３。フィンは、それらの近位端からそれらの遠位端まで連続的である、例１〜８２のいずれか１つに記載のヒートシンク。
【０１３９】
例８４。フィンの遠位端は、自由端である、例１〜８３のいずれか１つに記載のヒートシンク。
【０１４０】
例８５。フィンは、プラスチック材料から作られた、例１〜８４のいずれか１つに記載のヒートシンク。
【０１４１】
例８６。プラスチック材料は、熱可塑性プラスチックである、例８５に記載のヒートシンク。
【０１４２】
例８７。フィンのプラスチック材料は、約０．５および約５Ｗ／ｍ・Ｋの範囲内の厚み方向熱伝導率を有する、例８６に記載のヒートシンク。
【０１４３】
例８８。外表面は、プラスチック材料から作られた、例８５〜８７のいずれか１つに記載のヒートシンク。
【０１４４】
例８９。フィンは、外表面とモノリシックである、例８５〜８８のいずれか１つに記載のヒートシンク。
【０１４５】
例９０。ヒートシンクの全体がプラスチック材料から作られた、例８５〜８９のいずれか１つに記載のヒートシンク。
【０１４６】
例９１。フィンは、ベースとモノリシックである、例８５〜９０のいずれか１つに記載のヒートシンク。
【０１４７】
例９２。フィンのプラスチック材料は、第１のプラスチック材料を備え、ベースは、第１のプラスチック材料とは異なる第２のプラスチック材料をさらに備える、例８５〜８９のいずれか１つに記載のヒートシンク。
【０１４８】
例９３。ベースの第１の部分および複数のフィンの第１の部分は、第１のプラスチック材料を備え、ベースの第１の部分とは異なるベースの第２の部分は、第２のプラスチック材料を備える、例９２に記載のヒートシンク。
【０１４９】
例９４。第１の部分の少なくとも一部分は、第２の部分の少なくとも一部分によって取り囲まれた、例９３に記載のヒートシンク。
【０１５０】
例９５。第１の部分は、第２の部分によって取り囲まれた、例９４に記載のヒートシンク。
【０１５１】
例９６。第１のプラスチック材料は、第１の熱伝導率を有し、第２のプラスチック材料は、第１の熱伝導率より小さい第２の熱伝導率を有する、例９３に記載のヒートシンク。
【０１５２】
例９７。第１のプラスチック材料は、約０．５および約５Ｗ／ｍ・Ｋの範囲内の厚み方向熱伝導率を有する、例９３〜９６のいずれか１つに記載のヒートシンク。
【０１５３】
例９８。すべてのフィンは、第２の部分によって支持された、例９３〜９７のいずれか１つに記載のヒートシンク。
【０１５４】
例９９。複数のフィンは、表面積を画定するために結び付き、第１の部分は、第２の部分より多くの表面積を載せた、例９３〜９７のいずれか１つに記載のヒートシンク。
【０１５５】
例１００。第１の部分は、第２の部分とモノリシックである、例９３〜９７のいずれか１つに記載のヒートシンク。
【０１５６】
例１０１。第１の部分は、第２の部分と同時注入された、例１００に記載のヒートシンク。
【０１５７】
例１０２。第１の部分は、第２の部分に取り付けられた、例９３〜９７のいずれか１つに記載のヒートシンク。
【０１５８】
例１０３。第１のプラスチック材料は、熱可塑性プラスチックを備え、第２のプラスチック材料は、熱可塑性プラスチックを備える、例９３〜１０２のいずれか１つに記載のヒートシンク。
【０１５９】
例１０４。ヒートシンクは、導電性材料をさらに備える、例８５〜８９のいずれか１つに記載のヒートシンク。
【０１６０】
例１０５。導電性材料は、金属を備える、例１０４に記載のヒートシンク。
【０１６１】
例１０６。ベースは、金属を備える、例１０５に記載のヒートシンク。
【０１６２】
例１０７。ベースの内表面の少なくとも一部分は、金属によって画定された、例１０５〜１０６のいずれか１つに記載のヒートシンク。
【０１６３】
例１０８。金属は、プラスチック材料によって実質的に封じ込められた、例１０５〜１０７のいずれか１つに記載のヒートシンク。
【０１６４】
例１０９。金属は、プラスチック材料によってオーバーモールドされた、例１０４〜１０８のいずれか１つに記載のヒートシンク。
【０１６５】
例１１０。金属は、金属プレートを備える、例１０５〜１０９のいずれか１つに記載のヒートシンク。
【０１６６】
例１１１。ベースの外表面は、横断方向に沿ってベースの内表面から離隔され、ベースは、第１の端部と、横断方向に垂直な縦方向に沿って第１の端部の反対側の第２の端部とを備え、第１の端部は、プラスチック材料を備え、第１の端部ではフィンが外表面から突き出て、第２の端部では外表面が実質的に平滑である、例１〜８７のいずれか１つに記載のヒートシンク。
【０１６７】
例１１２。第２の端部は、プラスチック製である、例１１１に記載のヒートシンク。
【０１６８】
例１１３。第２の端部は、プラスチック材料を備える、例１１２に記載のヒートシンク。
【０１６９】
例１１４。第２の端部は、そのプラスチック材料とは異なるプラスチック材料を備える、例１１３に記載のヒートシンク。
【０１７０】
例１１５。第２の端部のプラスチック材料は、フィンのプラスチック材料より低い熱伝導率を有する、例１１４に記載のヒートシンク。
【０１７１】
例１１６。第２の端部のプラスチック材料は、第１の端部のプラスチック材料とモノリシックである、例１１１〜１１５のいずれか１つに記載のヒートシンク。
【０１７２】
例１１７。第１の端部および第２の端部は、同時注入された、例１１６に記載のヒートシンク。
【０１７３】
例１１８。第２の端部は、電気伝導性である、例１１１に記載のヒートシンク。
【０１７４】
例１１９。第２の端部は、金属製である、例１１８に記載のヒートシンク。
【０１７５】
例１２０。第１および第２の端部は、互いに取り付けられる、例１１１〜１１９のいずれか１つに記載のヒートシンク。
【０１７６】
例１２１。第１および第２の端部を互いに取り付けるために、第１の端部は、少なくとも１つの第１の取り付け部材を含み、第２の端部は、少なくとも１つの第１の取り付け部材と嵌合するように構成された少なくとも１つの第２の取り付け部材を含む、例１２０に記載のヒートシンク。
【０１７７】
例１２２。第２の端部におけるベースの外表面は、フィンの遠位端と実質的に同一平面上にある、例１２１〜１２１のいずれか１つに記載のヒートシンク。
【０１７８】
例１２３。第１の端部は、横断方向および縦方向の両方に垂直な横方向に沿って互いに離隔された第１および第２の側を備え、複数のフィンは、第１の側で外表面から突き出る第１のフィンと、第２の側で外表面から突き出る第２のフィンとを含む、例１１１〜１２２のいずれか１つに記載のヒートシンク。
【０１７９】
例１２４。複数のフィンの群は、複数のフィンのうちの第１および第２のフィンを含む、例１２３に記載のヒートシンク。
【０１８０】
例１２５。第１および第２の側は、互いにモノリシックである、例１２３〜１２４のいずれか１つに記載のヒートシンク。
【０１８１】
例１２６。第１および第２の側は、互いに取り付けられた、例１２３〜１２４のいずれか１つに記載のヒートシンク。
【０１８２】
例１２７。第１の側は、少なくとも１つの取り付け部材を含み、第２の側は、少なくとも１つの取り付け部材を含み、第２の端部は、第１および第２の側の各々を第２の端部に取り付けるために、第１の側の少なくとも１つの取り付け部材および第２の側の少なくとも１つの取り付け部材のそれぞれの取り付け部材に付くように構成された少なくとも一対の取り付け部材を含む、例１２３〜１２６のいずれか１つに記載のヒートシンク。
【０１８３】
例１２８。照明器具であって、
レンズを含む筐体構成部分、
少なくとも１つの筐体構成部分とヒートシンクとの間に内部空間が配置されるように筐体構成部分によって少なくとも部分的に支持された、例１〜１２０のいずれか１つに記載のヒートシンク、および
内部空間に配置されたＬＥＤパネルであって、照明の少なくとも一部分がレンズを通して導かれるような、照明を生み出すように構成された少なくとも１つのＬＥＤを含むＬＥＤパネル
を備える、照明器具。
【０１８４】
例１２９。レンズとＬＥＤパネルとを通して延びる直線は、フィンのうちの１つも通過する、例１２８に記載の照明器具。
【０１８５】
例１３０。ＬＥＤパネルは、ＬＥＤ基板と、ＬＥＤ基板によって支持された少なくとも１つのＬＥＤとを含み、ＬＥＤ基板は、少なくとも１つのＬＥＤとフィンとの間に配置された、例１２８〜１２９のいずれか１つに記載の照明器具。
【０１８６】
例１３１。ヒートシンクは、内部空間がヒートシンクおよび筐体構成部分によって画定されるように筐体構成部分に取り付けられた、例１２８〜１３０のいずれか１つに記載の照明器具。
【０１８７】
例１３２。照明器具であって、
第１の端部と、第１の端部から離隔された第２の端部とを画定する筐体構成部分であって、レンズを含む筐体構成部分、
少なくとも１つの筐体構成部分とヒートシンクとの間に内部空間が配置されるように筐体構成部分によって少なくとも部分的に支持されたヒートシンクであって、ヒートシンクの第１の端部は、筐体の第１の端部と整列され、ヒートシンクの第２の端部は、筐体の第２の端部と整列された、例１１１〜１２２のいずれか１つに記載のヒートシンク、
ヒートシンクの第２の端部において内部空間に配置されたドライバ、および
ヒートシンクの第１の端部において内部空間に配置されたＬＥＤパネルであって、ドライバと電気的に連絡して、照明の少なくとも一部分がレンズを通して導かれるような、照明を生み出すように構成された少なくとも１つのＬＥＤを含むＬＥＤパネル
を備える、照明器具。
【０１８８】
例１３３。レンズとＬＥＤパネルとを通して延びる直線は、フィンのうちの１つも通過する、例１３２に記載の照明器具。
【０１８９】
例１３４。ＬＥＤパネルは、ＬＥＤ基板と、ＬＥＤ基板によって支持された少なくとも１つのＬＥＤとを含み、ＬＥＤ基板は、少なくとも１つのＬＥＤとフィンとの間に配置された、例１３２〜１３３のいずれか１つに記載の照明器具。
【０１９０】
例１３５。ヒートシンクは、ヒートシンクと筐体との間に内部空間を画定するように筐体に取り付けられ、筐体の第１の端部は、ヒートシンクの第１の端部と整列され、筐体の第２の端部は、ヒートシンクの第２の端部と整列された、例１３２〜１３４のいずれか１つに記載の照明器具。
【０１９１】
例１３６。照明器具であって、
第１の端部および第２の端部を画定する筐体構成部分であって、第１の端部は、第１のレンズを含む第１の側、および第２のレンズを含む第２の側を画定する筐体構成部分、
少なくとも１つの筐体構成部分とヒートシンクとの間に内部空間が配置されるように筐体構成部分によって少なくとも部分的に支持されたヒートシンクであって、ヒートシンクの第１の側は、筐体構成部分の第１の側と整列され、ヒートシンクの第２の側は、筐体構成部分の第２の側と整列され、ヒートシンクの第２の端部は、筐体構成部分の第２の端部と整列された、例１２３〜１２７のいずれか１つに記載のヒートシンク、
筐体構成部分の第２の端部において内部空間に配置されたドライバ、
筐体構成部分の第１の側とヒートシンクの第１の側との間の内部空間に配置された第１のＬＥＤパネルであって、ドライバと電気的に連絡して、照明の少なくとも一部分が第１のレンズを通して導かれるような、照明を生み出すように構成された少なくとも１つの第１のＬＥＤを含む第１のＬＥＤパネル、および
筐体構成部分の第２の側とヒートシンクの第２の側の間の内部空間に配置された第２のＬＥＤパネルであって、ドライバと電気的に連絡して、照明の少なくとも一部分が第２のレンズを通して導かれるような、照明を生み出すように構成された少なくとも１つの第２のＬＥＤを含む第２のＬＥＤパネル
を備える、照明器具。
【０１９２】
例１３７。第１のレンズと第１のＬＥＤパネルとを通して延びる直線は、ヒートシンクの第１の側のフィンも通過する、例１３６に記載の照明器具。
【０１９３】
例１３８。第２のレンズと第２のＬＥＤパネルとを通して延びる第２の直線は、ヒートシンクの第２の側のフィンも通過する、例１３６〜１３７のいずれか１つに記載の照明器具。
【０１９４】
例１３９。ヒートシンクは、ヒートシンクと筐体との間に内部空間を画定するように筐体に取り付けられた、例１３６〜１３８のいずれか１つに記載の照明器具。
【０１９５】
例１４０。方法は、利用可能な形状の少なくとも１つの群のフィン形状を選択するステップを含む、例１〜１２７のいずれか１つに記載のヒートシンクを製造する方法。
【０１９６】
例１４１。方法は、利用可能な形状の少なくとも１つの群のフィン形状を選択するステップを含む、例１２８〜１３１のいずれか１つに記載の照明器具を製造する方法。
【０１９７】
例１４２。方法は、利用可能な形状の少なくとも１つの群のフィン形状を選択するステップを含む、例１３２〜１３５のいずれか１つに記載の照明器具を製造する方法。
【０１９８】
例１４３。方法は、利用可能な形状の少なくとも１つの群のフィン形状を選択するステップを含む、例１３６〜１３９のいずれか１つに記載の照明器具を製造する方法。
【０１９９】
先の記載は、説明のために提供され、本発明を限定すると解釈されるのではない。様々な実施形態が好ましい実施形態または好ましい方法を参照して記載されたが、本明細書に用いられた単語は、記載および例示の単語であり、限定の単語ではないことが理解される。さらに、本明細書では特定の構造、方法、および実施形態を参照して実施形態が記載されたが、本発明が本明細書に開示された詳細に限定されることは意図されない。例として、当然のことながら、１つの実施形態と関連して記載される構造および方法は、他に指示されない限り、本明細書に記載されるすべての他の実施形態に等しく適用可能である。本明細書の教示の利益を享受する、当業者は、本明細書に記載される発明に多くの修正を行ってもよく、例えば、添付の特許請求の範囲に提示されるような、本発明の趣旨および範囲から逸脱することなく変更がなされてもよい。
【図１Ａ】
2018508110.tif 000003
【図１Ｂ】
2018508110.tif 000004
【図２Ａ】
2018508110.tif 000005
【図２Ｂ】
2018508110.tif 000006
【図３Ａ】
2018508110.tif 000007
【図３Ｂ】
2018508110.tif 000008
【図４Ａ】
2018508110.tif 000009
【図４Ｂ】
2018508110.tif 000010
【図５Ａ】
2018508110.tif 000011
【図５Ｂ】
2018508110.tif 000012
【図６Ａ】
2018508110.tif 000013
【図６Ｂ】
2018508110.tif 000014
【図７Ａ】
2018508110.tif 000015
【図７Ｂ】
2018508110.tif 000016
【図８Ａ】
2018508110.tif 000017
【図８Ｂ】
2018508110.tif 000018
【図９Ａ】
2018508110.tif 000019
【図９Ｂ】
2018508110.tif 000020
【図１０Ａ】
2018508110.tif 000021
【図１０Ｂ】
2018508110.tif 000022
【図１１】
2018508110.tif 000023
【図１２】
2018508110.tif 000024
【国際調査報告】
2018508110.tif 000025
2018508110.tif 000026
2018508110.tif 000027